(57)【要約】【課題】災害用伝言システムに安否情報を登録していないユーザの安否情報を確認する。【解決手段】災害発生時に、セッション制御サーバ１がユーザの発着信履歴を災害用伝言システム２に送信し、災害用伝言システム２が受信した発着信履歴を発信番号あるいは着信番号に関連付けて安否情報として登録しておき、災害用伝言システム２に安否情報の問い合わせがあったときに、ユーザの端末５Ａの電話番号に関連付けられた音声メッセージが登録されていないときは、端末５Ａの電話番号に関連付けられた発着信履歴に基づく安否情報を通知する。これにより、安否確認者はユーザ（被安否確認者）が少なくとも端末５Ａを操作することができる状態であることを知ることができる。【選択図】図１
2014090226.tif 000002
【特許請求の範囲】
【請求項１】
ユーザの安否情報の問い合わせに応答する安否確認装置と呼制御を行う呼制御装置とを備える安否確認システムであって、
前記呼制御装置は、
呼制御を行う呼処理手段と、
呼制御の履歴を蓄積する蓄積手段と、
災害発生を契機に、前記蓄積手段から端末が操作されたことを示す履歴を読み出して前記安否確認装置に送信する送信手段と、を有し、
前記安否確認装置は、
電話番号に関連付けて安否情報を蓄積する安否情報蓄積手段と、
前記呼制御装置から前記履歴を受信し、当該履歴に含まれる電話番号に当該履歴に含まれる情報を安否情報として関連付けて前記安否情報蓄積手段に蓄積させる安否情報受信手段と、
ユーザの安否情報の問い合わせを受け付けて電話番号を入力し、当該電話番号に関連付けられた安否情報を前記安否情報蓄積手段から検索して通知する安否情報応答手段と、
を有することを特徴とする安否確認システム。
【請求項２】
前記安否情報蓄積手段は、ユーザから受信した音声メッセージを安否情報として電話番号に関連付けて蓄積し、
前記安否情報応答手段は、電話番号に関連付けられた安否情報に音声メッセージがある場合は当該音声メッセージを送信することを特徴とする請求項１記載の安否確認システム。
【請求項３】
電話番号に関連付けて安否情報を蓄積する安否情報蓄積手段と、
災害発生を契機に呼制御装置が送信する端末が操作されたことを示す履歴を受信し、当該履歴に含まれる電話番号に当該履歴に含まれる情報を安否情報として関連付けて前記安否情報蓄積手段に蓄積させる安否情報受信手段と、
ユーザの安否情報の問い合わせを受け付けて電話番号を入力し、当該電話番号に関連付けられた安否情報を前記安否情報蓄積手段から検索して通知する安否情報応答手段と、
を有することを特徴とする安否確認装置。
【請求項４】
前記安否情報蓄積手段は、ユーザから受信した音声メッセージを安否情報として電話番号に関連付けて蓄積し、
前記安否情報応答手段は、電話番号に関連付けられた安否情報に音声メッセージがある場合は当該音声メッセージを送信することを特徴とする請求項３記載の安否確認装置。
【発明の詳細な説明】
【技術分野】
【０００１】
本発明は、災害時にユーザの安否情報を提供する技術に関する。
【背景技術】
【０００２】
従来、地震等の災害発生時には、被災地の方の安否を気遣う通話、被災地の方から安否を伝える通話が増加することで、被災地からの通話、被災地への通話がつながりにくい状況（輻輳状態）になる。輻輳時には、通信呼を制御するサーバでの発着信規制により、ほとんどの呼接続が許容されず被災地との間で通話ができなくなる。
【０００３】
災害発生時、通話がつながりにくい状況になった場合に安否を確認する方法として、災害用伝言ダイヤルやＷｅｂ１７１等の災害用伝言システムがある。災害用伝言ダイヤルは、罹災者がガイダンスに従って自身の電話番号を入力してメッセージを録音し、安否を確認するユーザが罹災者の電話番号を入力して録音されたメッセージを再生することで、安否を確認するシステムである（非特許文献１参照）。
【先行技術文献】
【非特許文献】
【０００４】
【非特許文献１】“災害用伝言ダイヤル（１７１）”、［online］、東日本電信電話株式会社、［平成24年9月10日検索］、インターネット〈 URL：http://www.ntt-east.co.jp/saigai/voice171/index.html〉
【発明の概要】
【発明が解決しようとする課題】
【０００５】
しかしながら、災害用伝言システムでは、罹災者が自分で安否情報を登録しなければ、安否を確認するユーザは罹災者の安否を知ることができないという問題があった。
【０００６】
本発明は、上記に鑑みてなされたものであり、災害用伝言システムに安否情報を登録していないユーザの安否情報を確認することを目的とする。
【課題を解決するための手段】
【０００７】
第１の本発明に係る安否確認システムは、ユーザの安否情報の問い合わせに応答する安否確認装置と呼制御を行う呼制御装置とを備える安否確認システムであって、前記呼制御装置は、呼制御を行う呼処理手段と、呼制御の履歴を蓄積する蓄積手段と、災害発生を契機に、前記蓄積手段から端末が操作されたことを示す履歴を読み出して前記安否確認装置に送信する送信手段と、を有し、前記安否確認装置は、電話番号に関連付けて安否情報を蓄積する安否情報蓄積手段と、前記呼制御装置から前記履歴を受信し、当該履歴に含まれる電話番号に当該履歴に含まれる情報を安否情報として関連付けて前記安否情報蓄積手段に蓄積させる安否情報受信手段と、ユーザの安否情報の問い合わせを受け付けて電話番号を入力し、当該電話番号に関連付けられた安否情報を前記安否情報蓄積手段から検索して通知する安否情報応答手段と、を有することを特徴とする。
【０００８】
上記安否確認システムにおいて、前記安否情報蓄積手段は、ユーザから受信した音声メッセージを安否情報として電話番号に関連付けて蓄積し、前記安否情報応答手段は、電話番号に関連付けられた安否情報に音声メッセージがある場合は当該音声メッセージを送信することを特徴とする。
【０００９】
第２の本発明に係る安否確認装置は、電話番号に関連付けて安否情報を蓄積する安否情報蓄積手段と、災害発生を契機に呼制御装置が送信する端末が操作されたことを示す履歴を受信し、当該履歴に含まれる電話番号に当該履歴に含まれる情報を安否情報として関連付けて前記安否情報蓄積手段に蓄積させる安否情報受信手段と、ユーザの安否情報の問い合わせを受け付けて電話番号を入力し、当該電話番号に関連付けられた安否情報を前記安否情報蓄積手段から検索して通知する安否情報応答手段と、を有することを特徴とする。
【００１０】
上記安否確認装置において、前記安否情報蓄積手段は、ユーザから受信した音声メッセージを安否情報として電話番号に関連付けて蓄積し、前記安否情報応答手段は、電話番号に関連付けられた安否情報に音声メッセージがある場合は当該音声メッセージを送信することを特徴とする。
【発明の効果】
【００１１】
本発明によれば、災害用伝言システムに安否情報を登録していないユーザの安否情報を確認することができる。
【図面の簡単な説明】
【００１２】
【図１】本実施の形態における安否確認システムの全体構成図である。
【図２】発信履歴を安否情報として災害用伝言システムに登録する処理の流れを示すシーケンス図である。
【図３】着信履歴を安否情報として災害用伝言システムに登録する処理の流れを示すシーケンス図である。
【図４】ユーザの安否を確認するときの災害用伝言システムの処理の流れを示すフローチャートである。
【発明を実施するための形態】
【００１３】
以下、本発明の実施の形態について図面を用いて説明する。
【００１４】
図１は、本実施の形態における安否確認システムの全体構成図である。本実施の形態における安否確認システムは、セッション制御サーバ１、災害用伝言システム２、災害発生警報装置３、およびガイダンスサーバ４を備える。図１に示すように、セッション制御サーバ１は、ＳＮＩ（Ａｐｐｌｉｃａｔｉｏｎ  Ｓｅｒｖｅｒ−Ｎｅｔｗｏｒｋ  Ｉｎｔｅｒｆａｃｅ）／ＵＮＩ（Ｕｓｅｒ−Ｎｅｔｗｏｒｋ  Ｉｎｔｅｒｆａｃｅ）に災害用伝言システム２、ガイダンスサーバ４を接続し、災害発生警報を受信するインターフェイスＩＦ１に災害発生警報装置３を接続し、ＵＮＩ（Ｕｓｅｒ−Ｎｅｔｗｏｒｋ  Ｉｎｔｅｒｆａｃｅ）に端末５Ａを接続し、ＮＮＩ（Ｎｅｔｗｏｒｋ−Ｎｅｔｗｏｒｋ  Ｉｎｔｅｒｆａｃｅ）に他網（他事業者ネットワーク網、他事業者電話網及び携帯電話網）１００を接続する。以下、各装置について説明する。
【００１５】
セッション制御サーバ１は、呼処理部１１、災害発生管理部１２、履歴送信部１３、および蓄積部１４を備え、呼制御を行なって呼ごとにサービスの利用履歴を記録するとともに、災害発生時には安否情報に使用する発着信履歴を災害用伝言システム２に送信する。
【００１６】
呼処理部１１は、ＳＩＰ（Ｓｅｓｓｉｏｎ  Ｉｎｉｔｉａｔｉｏｎ  Ｐｒｏｔｏｃｏｌ）などを利用して呼制御を行い、ユーザの端末５Ａから発信されたＳＩＰ信号に基づき、発信者、着信者を確認し、セッション確立・解放処理時に、通信呼ごとの履歴を蓄積部１４に格納する。
【００１７】
災害発生管理部１２は、災害発生警報装置３から警報を受信すると、災害スイッチをオンに設定し、発着信履歴を災害用伝言システム２に送信させる。なお、災害スイッチは、保守者がオンに設定してもよい。
【００１８】
履歴送信部１３は、災害発生管理部１２の災害スイッチがオンの場合、つまり災害発生時に、定期的に蓄積部１４から安否確認に使用する発着信履歴を読み出して災害用伝言システム２へ送信する。安否確認に使用する履歴としては、例えば、セッション制御サーバ１が収容する端末５Ａからの発信履歴、端末５Ａへの着信に応答したときの着信履歴など、災害発生後に端末５Ａが操作されたことを示す発着信履歴がある。
【００１９】
蓄積部１４は、呼処理部１１から履歴を受け取り蓄積する。
【００２０】
災害用伝言システム２は、安否情報受信部２１、安否情報応答部２２、および安否情報蓄積部２３を備え、ユーザの安否情報を保持して安否の問い合せに応答する。ユーザの安否情報としては、ユーザが災害発生後に登録した音声メッセージ、セッション制御サーバ１から受信した発着信履歴に基づく安否情報がある。
【００２１】
安否情報受信部２１は、音声メッセージを受信し、電話番号に音声メッセージを紐付けて安否情報蓄積部２３に格納する。また、セッション制御サーバ１から発着信履歴を受信し、発着信履歴の発信者番号に発信時刻などの情報を紐付けて該当する発信者の安否情報とし、あるいは着信者番号に着信時刻などの情報を紐付けて該当する着信者の安否情報として安否情報蓄積部２３に格納する。
【００２２】
安否情報応答部２２は、安否の問い合わせを受け付けて電話番号を入力し、入力された電話番号に紐付けられた安否情報を安否情報蓄積部２３から検索して安否情報を返信する。具体的には、安否を確認したいユーザの端末５Ａの電話番号を入力して、入力された電話番号をキーに安否情報蓄積部２３から音声メッセージ、発着信履歴に基づく安否情報を検索し、音声メッセージが存在する場合は、その音声メッセージを送信し、発着信履歴に基づく安否情報が存在する場合は、その安否情報（例えば発信時刻、着信時刻）を音声で通知する。
【００２３】
安否情報蓄積部２３は、セッション制御サーバ１が収容する端末５Ａに関連した安否情報を端末５Ａの電話番号に紐付けて蓄積する。被安否確認者の電話番号をキーに安否情報を検索することができる。
【００２４】
災害発生警報装置３は、災害発生時に警報をセッション制御サーバ１に送信する。
【００２５】
ガイダンスサーバ４は、安否情報の問い合わせ時に災害用伝言システム２の使い方のガイダンスを送信する。
【００２６】
次に、本実施の形態における安否確認システムの動作について説明する。
【００２７】
図２，３は、端末５Ａの発着信履歴を安否情報として災害用伝言システム２に登録する処理の流れを示すシーケンス図である。
【００２８】
まず、図２を用いて災害時に端末５Ａが他網１００の端末５Ｂに発信し、発信履歴を安否情報として災害用伝言システム２に登録する動作について説明する。
【００２９】
通常時、端末５Ａが端末５Ｂと通信する場合、端末５Ａが送信した信号を呼処理部１１が受信し（ステップＳ１０１）、端末５Ｂに送信するとともに（ステップＳ１０２）、信号を送信した履歴を蓄積部１４に格納する（ステップＳ１０３，Ｓ１０４）。端末５Ａへの信号の履歴も同様に蓄積部１４に格納される。
【００３０】
ここで、災害が発生すると（ステップＳ１０５）、災害発生警報装置３は警報を災害発生管理部１２に送信し（ステップＳ１０６）、災害発生管理部１２は災害スイッチをオンに設定する（ステップＳ１０７）。
【００３１】
ユーザが端末５Ａを操作し、端末５Ａが端末５Ｂに発信すると、端末５Ａから送信された発信信号を呼処理部１１が受信し（ステップＳ１０８）、発信信号を端末５Ｂに送信するとともに（ステップＳ１０９）、発信信号を送信した履歴を蓄積部１４に格納する（ステップＳ１１０，Ｓ１１１）。ここで格納される履歴には、発信番号（端末５Ａの電話番号）、着信番号（端末５Ｂの電話番号）、および発信時刻が含まれる。なお、例えば輻輳により他網１００への発信が規制されている場合は、呼処理部１１は、端末５Ｂへ発信信号を送信しないが、端末５Ａが発信信号を送信した履歴を蓄積部１４に格納し、この履歴も安否情報に利用する。
【００３２】
その後、呼処理部１１の定期処理で災害発生管理部１２に災害スイッチの状態を問い合わせる（ステップＳ１１２）。災害スイッチがオンの場合は、災害発生管理部１２が履歴送信部１３に安否情報の送信を指示する（ステップＳ１１３）。
【００３３】
履歴送信部１３は、蓄積部１４から安否確認に使用する発着信履歴を取得し（ステップＳ１１４）、取得した発着信履歴を災害用伝言システム２へ送信する（ステップＳ１１５）。この例では、ステップＳ１１０，Ｓ１１１で蓄積部１４に格納された発信番号と発信時刻が安否確認に使用する発着信履歴として送信される。
【００３４】
災害用伝言システム２は、発着信履歴を受信して安否情報を登録する（ステップＳ１１６）。この例では、受信した発着信履歴が発信番号（端末５Ａの電話番号）をキーとする安否情報として登録される。これにより、端末５Ａは登録された発信時刻に操作されたことが分かる。
【００３５】
続いて、図３を用いて災害時に端末５Ａが端末５Ｂから着信して応答し、着信履歴を安否情報として災害用伝言システム２に登録する動作について説明する。図３では、災害スイッチはオンに設定されているものとする。
【００３６】
端末５Ｂが端末５Ａに発信すると（ステップＳ２０１）、呼処理部１１は、端末５Ａに発信信号を送信するとともに（ステップＳ２０２）、発信信号を受信した履歴を蓄積部１４に格納する（ステップＳ２０３，Ｓ２０４）。ここで格納される履歴には、発信番号（端末５Ｂの電話番号）、着信番号（端末５Ａの電話番号）、および発信時刻が含まれる。
【００３７】
ユーザが応答すると端末５Ａから応答信号が送信され（ステップＳ２０５）、呼処理部１１は、端末５Ｂに応答信号を送信するとともに（ステップＳ２０６）、端末５Ａが応答信号を送信した履歴を蓄積部１４に格納する（ステップＳ２０７，Ｓ２０８）。ここでは、ステップＳ２０１で受信した発信信号に対する応答として、発信番号（端末５Ｂの電話番号）、着信番号（端末５Ａの電話番号）、および着信（応答）時刻を含む履歴が蓄積部１４に格納される。
【００３８】
その後、呼処理部１１の定期処理で災害発生管理部１２に災害スイッチの状態を問い合わせる（ステップＳ２０９）。災害スイッチがオンの場合は、災害発生管理部１２が履歴送信部１３に安否情報の送信を指示する（ステップＳ２１０）。
【００３９】
履歴送信部１３は、蓄積部１４から安否確認に使用する発着信履歴を取得し（ステップＳ２１１）、取得した発着信履歴を災害用伝言システム２へ送信する（ステップＳ２１２）。この例では、ステップＳ２０３，Ｓ２０４およびステップＳ２０７，Ｓ２０８で蓄積部１４に格納された発着信履歴が送信される。
【００４０】
災害用伝言システム２は、発着信履歴を受信して安否情報を登録する（ステップＳ２１３）。この例では、受信した発着信履歴が着信番号（端末５Ａの電話番号）をキーとする安否情報として登録される。これにより、端末５Ａは登録された着信時刻に操作されて応答したことが分かる。
【００４１】
次に、ユーザの安否を確認するときの災害用伝言システムの動作について説明する。
【００４２】
図４は、ユーザの安否を確認するときの災害用伝言システム２の処理の流れを示すフローチャートである。
【００４３】
安否確認者が被安否確認者（例えば端末５Ａのユーザ）の安否を確認するために災害用伝言システム２に電話をかけると、安否確認者にガイダンスサーバ４からガイダンスを流し（ステップＳ３０１）、被安否確認者の電話番号の入力を受け付ける（ステップＳ３０２）。
【００４４】
そして、入力された被安否確認者の電話番号をキーに被安否確認者からの音声メッセージが安否情報蓄積部２３に登録されているか否か検索する（ステップＳ３０３）。
【００４５】
音声メッセージが登録されている場合は（ステップＳ３０３のＹｅｓ）、登録された音声メッセージを安否確認者に送信する（ステップＳ３０５）。
【００４６】
音声メッセージが登録されていない場合は（ステップＳ３０３のＮｏ）、被安否確認者の電話番号をキーに発着信履歴に基づく安否情報が安否情報蓄積部２３に登録されているか否か検索する（ステップＳ３０４）。
【００４７】
発着信履歴に基づく安否情報が登録されている場合は（ステップＳ３０４のＹｅｓ）、登録された安否情報を音声で安否確認者に通知する（ステップＳ３０６）。安否情報を通知する場合、発信時間あるいは着信時間を登録されている時間（例えば、１０：１０など）で通知してもよいし、午前、午後、あるいは１０時から１２時の間などと時間を区切って通知してもよい。また、日付を含めて通知してもよい。さらに、通話相手の情報や通話時間などを通知してもよい。
【００４８】
発着信履歴に基づく安否情報が登録されていない場合は（ステップＳ３０４のＮｏ）、音声メッセージも安否情報も登録されていない旨を通知する（ステップＳ３０７）。
【００４９】
なお、音声メッセージと発着信履歴に基づく安否情報の両方を通知するものでもよい。
【００５０】
以上説明したように、本実施の形態によれば、災害発生時に、セッション制御サーバ１がユーザの発着信履歴を災害用伝言システム２に送信し、災害用伝言システム２が受信した発着信履歴を発信番号あるいは着信番号に関連付けて安否情報として登録しておき、災害用伝言システム２に安否情報の問い合わせがあったときに、ユーザの端末５Ａの電話番号に関連付けられた音声メッセージが登録されていないときは、端末５Ａの電話番号に関連付けられた発着信履歴に基づく安否情報を通知することにより、安否確認者はユーザ（被安否確認者）が少なくとも端末５Ａを操作することができる状態であることを知ることができる。
【符号の説明】
【００５１】
１…セッション制御サーバ
１１…呼処理部
１２…災害発生管理部
１３…履歴送信部
１４…蓄積部
２…災害用伝言システム
２１…安否情報受信部
２２…安否情報応答部
２３…安否情報蓄積部
３…災害発生警報装置
４…ガイダンスサーバ
５Ａ，５Ｂ…端末
１００…他網
【図１】
2014090226.tif 000003
【図２】
2014090226.tif 000004
【図３】
2014090226.tif 000005
【図４】
2014090226.tif 000006